(57)【要約】【課題】複数のレイヤの通信のログ情報を転送して、転送先でログ表示するにあたり、ログ情報を転送しきれずに破棄することにより生じるログの完全な欠落を低減する。【解決手段】試験装置１０は、レイヤ識別情報及び時刻情報を含むログヘッダを生成するログヘッダ生成部１５１と、通信データを含むログデータを生成するログデータ生成部１５２と、前記ログヘッダ及び前記ログデータを表示装置３０に転送する試験装置側転送部１７と、前記ログヘッダを前記ログデータよりも優先して転送するように制御する優先制御部１９とを有する。表示装置３０の表示制御部３５は、前記ログヘッダと前記ログデータとを対応付けてログの表示を行う。【選択図】  図１
2014060634.tif 000002
【特許請求の範囲】
【請求項１】
複数のレイヤで構成された通信プロトコルに従って、試験対象の移動体通信端末（２）と送受信するメッセージに対して前記複数のレイヤ毎の処理を行うレイヤ処理部（１２）と、前記レイヤ処理部からレイヤ毎の通信データを取得し、当該通信データ、当該通信データの送信元レイヤ及び宛先レイヤを識別するためのレイヤ識別情報、当該通信データの通信が行われた時刻を示す時刻情報のそれぞれを含むログ情報を生成するログ処理部（１５）と、前記ログ情報を外部に転送する転送部（１７）とを備えた試験装置（１０）と、
表示部（３６）と、前記試験装置の前記転送部から受けた前記ログ情報に基づいて、前記表示部に前記複数のレイヤの通信のログを表示する表示制御部（３５）とを備えた表示装置（３０）と、
を有する試験システムにおいて、
前記ログ処理部は、前記レイヤ識別情報及び前記時刻情報を含むログヘッダを生成するログヘッダ生成部（１５１）と、前記通信データを含むログデータを生成するログデータ生成部（１５２）とを有し、前記ログヘッダ及び前記ログデータを前記ログ情報として生成するようになっており、
前記試験装置は、前記転送部が前記ログヘッダを前記ログデータよりも優先して転送するように制御する優先制御部（１９）をさらに備え、
前記表示制御部は、前記ログヘッダと前記ログデータとを対応付けて前記ログの表示を行うことを特徴とする試験システム（１）。
【請求項２】
前記転送部は、転送対象データを一時記憶して、前記転送毎に、記憶した前記転送対象データを消去する転送バッファ（１７１）を有し、
前記試験装置は、前記ログデータ生成部で生成されたログデータを一時記憶するログデータバッファ（１６）を備え、
前記優先制御部は、前記ログヘッダ生成部で生成されたログヘッダを前記転送バッファに逐次記憶するとともに、前記転送が行われる直前に、前記転送バッファの空き領域に前記ログデータバッファに記憶された前記ログデータを記憶することを特徴とする請求項１の試験システム。
【請求項３】
前記転送部は、転送対象データを一時記憶して、前記転送毎に、記憶した前記転送対象データを消去する転送バッファ（１７１）を有し、
前記試験装置は、前記ログヘッダ生成部で生成されたログヘッダを一時記憶するログヘッダバッファ（１８）と、前記ログデータ生成部で生成されたログデータを一時記憶するログデータバッファ（１６）とを備え、
前記優先制御部は、前記ログヘッダバッファに記憶されたログヘッダを前記転送バッファに記憶した後に、前記転送バッファの空き領域に前記ログデータバッファに記憶された前記ログデータを記憶することを特徴とする請求項１の試験システム。
【請求項４】
前記ログ処理部は、前記ログ情報のそれぞれを識別するための識別子を生成して、前記ログヘッダ生成部及び前記ログデータ生成部に同一の前記識別子を出力するＩＤ生成部（１５４）を有し、
前記ログヘッダ生成部は、前記識別子を含む前記ログヘッダを生成し、
前記ログデータ生成部は、前記識別子を含む前記ログデータを生成し、
前記表示制御部は、前記識別子が同一の前記ログヘッダと前記ログデータとを対応付けるためのログ対応処理部（３５１）を有することを特徴とする請求項１乃至３の試験システム。
【請求項５】
前記表示部に表示される表示画面は、前記ログヘッダに含まれる情報を時系列に並べてログとして表示するログヘッダ情報表示エリア（６０）と、前記ログデータに含まれる通信データの内容を表示する通信データ情報表示エリア（７０）とを有し、
前記表示制御部は、前記ログヘッダ情報表示エリアに表示されたログのいずれかが指定されると、この指定されたログに対応するログデータに含まれる通信データの内容を前記通信データ情報表示エリアに表示することを特徴とする請求項１乃至４の試験システム。
【請求項６】
複数のレイヤで構成された通信プロトコルに従って、試験対象の移動体通信端末（２）と送受信するメッセージに対して前記複数のレイヤ毎の処理を行うレイヤ処理ステップ（Ｓ１）と、
前記レイヤ処理ステップで処理したレイヤ毎の通信データを取得し、当該通信データ、当該通信データの送信元レイヤ及び宛先レイヤを識別するためのレイヤ識別情報、当該通信データの通信が行われた時刻を示す時刻情報のそれぞれを含むログ情報を生成するログ処理ステップと、
前記ログ情報を転送する転送ステップ（Ｓ１３）と、
転送された前記ログ情報に基づいて、前記複数のレイヤの通信のログを表示する表示ステップと、
を含む試験方法において、
前記ログ処理ステップは、前記レイヤ識別情報及び前記時刻情報を含むログヘッダを生成するログヘッダ生成ステップ（Ｓ３）と、前記通信データを含むログデータを生成するログデータ生成ステップ（Ｓ４）とを有し、前記ログヘッダ及び前記ログデータを前記ログ情報として生成するようになっており、
前記転送ステップは、前記ログヘッダを前記ログデータよりも優先して転送し、
前記表示ステップは、前記ログヘッダと前記ログデータとを対応付けて前記ログの表示を行うことを特徴とする試験方法。
【請求項７】
前記転送ステップは、転送対象データを転送バッファ（１７１）に一時記憶して、前記転送毎に、記憶した前記転送対象データを消去し、
前記ログヘッダ生成ステップで生成されたログヘッダを前記転送バッファに逐次記憶するログヘッダ記憶ステップ（Ｓ５）と、
前記ログデータ生成ステップで生成されたログデータをログデータバッファ（１６）に一時記憶する第１のログデータ記憶ステップ（Ｓ７）と、
前記転送が行われる直前に、前記転送バッファの空き領域に前記ログデータバッファに記憶された前記ログデータを記憶する第２のログデータ記憶ステップ（Ｓ８）と、
を含むことを特徴とする請求項６の試験方法。
【請求項８】
前記転送ステップは、転送対象データを転送バッファ（１７１）に一時記憶して、前記転送毎に、記憶した前記転送対象データを消去し、
前記ログヘッダ生成ステップで生成されたログヘッダをログヘッダバッファ（１８）に記憶する第１のログヘッダ記憶ステップ（Ｓ５１）と、
前記ログデータ生成ステップで生成されたログデータをログデータバッファ（１６）に一時記憶する第１のログデータ記憶ステップ（Ｓ７）と、
前記ログヘッダバッファに記憶されたログヘッダを前記転送バッファに記憶する第２のログヘッダ記憶ステップ（Ｓ５２）と、
前記第２のログヘッダ記憶ステップの後に、前記転送バッファの空き領域に前記ログデータバッファに記憶された前記ログデータを記憶する第２のログデータ記憶ステップ（Ｓ８）と、
を含むことを特徴とする請求項６の試験方法。
【請求項９】
前記ログ処理ステップは、前記ログ情報のそれぞれを識別するための識別子であって、前記ログヘッダ生成ステップ及び前記ログデータ生成ステップで同一の前記識別子を生成するＩＤ生成ステップ（Ｓ３）を有し、
前記ログヘッダ生成ステップは、前記識別子を含む前記ログヘッダを生成し、
前記ログデータ生成ステップは、前記識別子を含む前記ログデータを生成し、
前記表示ステップは、前記識別子が同一の前記ログヘッダと前記ログデータとを対応付けるログ対応処理ステップ（Ｓ２５）を有することを特徴とする請求項６乃至８の試験方法。
【請求項１０】
前記表示ステップで表示される表示画面は、前記ログヘッダに含まれる情報を時系列に並べてログとして表示するログヘッダ情報表示エリア（６０）と、前記ログデータに含まれる通信データの内容を表示する通信データ情報表示エリア（７０）とを有し、
前記表示ステップは、前記ログヘッダ情報表示エリアに表示されたログのいずれかを指定する指定ステップ（Ｓ２８）と、この指定されたログに対応するログデータに含まれる通信データの内容を前記通信データ情報表示エリアに表示する通信データ情報表示ステップ（Ｓ３０）とを有することを特徴とする請求項６乃至９の試験方法。
【請求項１１】
複数のレイヤで構成された通信プロトコルに従って、試験対象の移動体通信端末（２）と送受信するメッセージに対して前記複数のレイヤ毎の処理を行うレイヤ処理部（１２）と、
前記レイヤ処理部からレイヤ毎の通信データを取得し、当該通信データ、当該通信データの送信元レイヤ及び宛先レイヤを識別するためのレイヤ識別情報、当該通信データの通信が行われた時刻を示す時刻情報のそれぞれを含むログ情報を生成するログ処理部（１５）と、
前記ログ情報に基づいて前記複数のレイヤの通信のログを表示する表示装置に、前記ログ情報を転送する転送部（１７）と、
を備えた試験装置において、
前記ログ処理部は、前記レイヤ識別情報及び前記時刻情報を含むログヘッダを生成するログヘッダ生成部（１５１）と、前記通信データを含むログデータを生成するログデータ生成部（１５２）とを有し、前記ログヘッダ及び前記ログデータを前記ログ情報として生成するようになっており、
前記転送部が前記ログヘッダを前記ログデータよりも優先して転送するように制御する優先制御部（１９）をさらに備えたことを特徴とする試験装置（１０）。
【発明の詳細な説明】
【技術分野】
【０００１】
本発明は、例えば携帯電話やデータ通信端末等の移動体通信端末を試験対象として、この移動体通信端末が正常に通信を行えるか否かを試験するため、移動体通信端末との間で通信を行い、通信時のログを表示するための試験システム及び試験方法並びに試験装置に関する。
【背景技術】
【０００２】
携帯電話やデータ通信端末等の移動体通信端末を新規に開発した場合、この開発した移動体通信端末が正常に通信を行えるか否かを試験する必要がある。このため、実際の基地局の機能を模擬する擬似基地局装置に試験対象の移動体通信端末を接続し、擬似基地局装置と移動体通信端末との間で通信を行い、この通信のログを擬似基地局装置側で取得してログ表示し、試験者がログの内容を確認する試験を行っている。
【０００３】
ところで、移動体通信における通信プロトコルは、一般的に階層化（レイヤ化）されており、各レイヤで処理が異なる。このため、上述した試験においても、通信のログをレイヤ別に表示することが求められており、擬似基地局装置は、レイヤ毎の通信のログのデータであるログ情報を取得するようになっている。
【０００４】
また、通信のログを表示するにあたり、試験者の利便性の向上のため、擬似基地局装置で取得したログ情報をパーソナルコンピュータ（ＰＣ）に転送し、このＰＣで動作するログ表示アプリケーションを用いて、ＰＣの表示画面上にログを表示する構成が主流となってきている。これらの機能を有する擬似基地局装置または試験装置は、下記特許文献１，２に開示されている。
【先行技術文献】
【特許文献】
【０００５】
【特許文献１】特開２００９−１４７６４０号公報
【特許文献２】特開２０１０−２１９８４３号公報
【発明の概要】
【発明が解決しようとする課題】
【０００６】
ところで、これらの通信のログをレイヤ毎に取得する場合、ログ情報のデータ量は、実際の通信のデータ量の何倍にもなってしまう。しかし、擬似基地局装置の記憶容量は限られており、擬似基地局装置が取得したログ情報を、速やかにＰＣに転送する必要がある。
【０００７】
一方、移動体通信における通信方式として、ＬＴＥ（Long Term Evolution）やＷｉＭＡＸといった、高速にデータ通信を行う方式が登場してきており、これらのデータ通信速度と、擬似基地局装置−ＰＣ間の有線のデータ通信速度との差が小さくなってきている。このため、擬似基地局装置で取得したログ情報をＰＣに転送しきれず、擬似基地局装置が取得したログ情報を破棄する状態が生じる。これにより、表示の際にログの欠落が生じ、通信内容を試験者が確認できず、十分な試験が行えないという課題があった。
【０００８】
本発明は、以上のような課題に対し、通信のログ情報を転送して転送先でログ表示するにあたり、ログ情報を転送しきれずに破棄することにより生じるログの完全な欠落を低減することができる試験システム及び試験方法並びに試験装置を提供することを目的とする。
【課題を解決するための手段】
【０００９】
上述の目的を達成するために、本発明の請求項１の試験システムは、複数のレイヤで構成された通信プロトコルに従って、試験対象の移動体通信端末（２）と送受信するメッセージに対して前記複数のレイヤ毎の処理を行うレイヤ処理部（１２）と、前記レイヤ処理部からレイヤ毎の通信データを取得し、当該通信データ、当該通信データの送信元レイヤ及び宛先レイヤを識別するためのレイヤ識別情報、当該通信データの通信が行われた時刻を示す時刻情報のそれぞれを含むログ情報を生成するログ処理部（１５）と、前記ログ情報を外部に転送する転送部（１７）とを備えた試験装置（１０）と、表示部（３６）と、前記試験装置の前記転送部から受けた前記ログ情報に基づいて、前記表示部に前記複数のレイヤの通信のログを表示する表示制御部（３５）とを備えた表示装置（３０）と、を有する試験システムにおいて、前記ログ処理部は、前記レイヤ識別情報及び前記時刻情報を含むログヘッダを生成するログヘッダ生成部（１５１）と、前記通信データを含むログデータを生成するログデータ生成部（１５２）とを有し、前記ログヘッダ及び前記ログデータを前記ログ情報として生成するようになっており、前記試験装置は、前記転送部が前記ログヘッダを前記ログデータよりも優先して転送するように制御する優先制御部（１９）をさらに備え、前記表示制御部は、前記ログヘッダと前記ログデータとを対応付けて前記ログの表示を行うことを特徴とする。
【００１０】
また、本発明の請求項２の試験システムは、請求項１の試験システムであって、前記転送部は、転送対象データを一時記憶して、前記転送毎に、記憶した前記転送対象データを消去する転送バッファ（１７１）を有し、前記試験装置は、前記ログデータ生成部で生成されたログデータを一時記憶するログデータバッファ（１６）を備え、前記優先制御部は、前記ログヘッダ生成部で生成されたログヘッダを前記転送バッファに逐次記憶するとともに、前記転送が行われる直前に、前記転送バッファの空き領域に前記ログデータバッファに記憶された前記ログデータを記憶することを特徴とする。
【００１１】
また、本発明の請求項３の試験システムは、請求項１の試験システムであって、前記転送部は、転送対象データを一時記憶して、前記転送毎に、記憶した前記転送対象データを消去する転送バッファ（１７１）を有し、前記試験装置は、前記ログヘッダ生成部で生成されたログヘッダを一時記憶するログヘッダバッファ（１８）と、前記ログデータ生成部で生成されたログデータを一時記憶するログデータバッファ（１６）とを備え、前記優先制御部は、前記ログヘッダバッファに記憶されたログヘッダを前記転送バッファに記憶した後に、前記転送バッファの空き領域に前記ログデータバッファに記憶された前記ログデータを記憶することを特徴とする。
【００１２】
また、本発明の請求項４の試験システムは、請求項１乃至３の試験システムであって、前記ログ処理部は、前記ログ情報のそれぞれを識別するための識別子を生成して、前記ログヘッダ生成部及び前記ログデータ生成部に同一の前記識別子を出力するＩＤ生成部（１５４）を有し、前記ログヘッダ生成部は、前記識別子を含む前記ログヘッダを生成し、前記ログデータ生成部は、前記識別子を含む前記ログデータを生成し、前記表示制御部は、前記識別子が同一の前記ログヘッダと前記ログデータとを対応付けるためのログ対応処理部（３５１）を有することを特徴とする。
【００１３】
また、本発明の請求項５の試験システムは、請求項１乃至４の試験システムであって、  前記表示部に表示される表示画面は、前記ログヘッダに含まれる情報を時系列に並べてログとして表示するログヘッダ情報表示エリア（６０）と、前記ログデータに含まれる通信データの内容を表示する通信データ情報表示エリア（７０）とを有し、前記表示制御部は、前記ログヘッダ情報表示エリアに表示されたログのいずれかが指定されると、この指定されたログに対応するログデータに含まれる通信データの内容を前記通信データ情報表示エリアに表示することを特徴とする。
【００１４】
また、本発明の請求項６の試験方法は、複数のレイヤで構成された通信プロトコルに従って、試験対象の移動体通信端末（２）と送受信するメッセージに対して前記複数のレイヤ毎の処理を行うレイヤ処理ステップ（Ｓ１）と、前記レイヤ処理ステップで処理したレイヤ毎の通信データを取得し、当該通信データ、当該通信データの送信元レイヤ及び宛先レイヤを識別するためのレイヤ識別情報、当該通信データの通信が行われた時刻を示す時刻情報のそれぞれを含むログ情報を生成するログ処理ステップと、前記ログ情報を転送する転送ステップ（Ｓ１３）と、転送された前記ログ情報に基づいて、前記複数のレイヤの通信のログを表示する表示ステップと、を含む試験方法において、前記ログ処理ステップは、前記レイヤ識別情報及び前記時刻情報を含むログヘッダを生成するログヘッダ生成ステップ（Ｓ３）と、前記通信データを含むログデータを生成するログデータ生成ステップ（Ｓ４）とを有し、前記ログヘッダ及び前記ログデータを前記ログ情報として生成するようになっており、前記転送ステップは、前記ログヘッダを前記ログデータよりも優先して転送し、前記表示ステップは、前記ログヘッダと前記ログデータとを対応付けて前記ログの表示を行うことを特徴とする。
【００１５】
また、本発明の請求項７の試験方法は、請求項６の試験方法であって、前記転送ステップは、転送対象データを転送バッファ（１７１）に一時記憶して、前記転送毎に、記憶した前記転送対象データを消去し、前記ログヘッダ生成ステップで生成されたログヘッダを前記転送バッファに逐次記憶するログヘッダ記憶ステップ（Ｓ５）と、前記ログデータ生成ステップで生成されたログデータをログデータバッファ（１６）に一時記憶する第１のログデータ記憶ステップ（Ｓ７）と、前記転送が行われる直前に、前記転送バッファの空き領域に前記ログデータバッファに記憶された前記ログデータを記憶する第２のログデータ記憶ステップ（Ｓ８）と、を含むことを特徴とする。
【００１６】
また、本発明の請求項８の試験方法は、請求項６の試験方法であって、前記転送ステップは、転送対象データを転送バッファ（１７１）に一時記憶して、前記転送毎に、記憶した前記転送対象データを消去し、前記ログヘッダ生成ステップで生成されたログヘッダをログヘッダバッファ（１８）に記憶する第１のログヘッダ記憶ステップ（Ｓ５１）と、前記ログデータ生成ステップで生成されたログデータをログデータバッファ（１６）に一時記憶する第１のログデータ記憶ステップ（Ｓ７）と、前記ログヘッダバッファに記憶されたログヘッダを前記転送バッファに記憶する第２のログヘッダ記憶ステップ（Ｓ５２）と、前記第２のログヘッダ記憶ステップの後に、前記転送バッファの空き領域に前記ログデータバッファに記憶された前記ログデータを記憶する第２のログデータ記憶ステップ（Ｓ８）と、を含むことを特徴とする。
【００１７】
また、本発明の請求項９の試験方法は、請求項６乃至８の試験方法であって、前記ログ処理ステップは、前記ログ情報のそれぞれを識別するための識別子であって、前記ログヘッダ生成ステップ及び前記ログデータ生成ステップで同一の前記識別子を生成するＩＤ生成ステップ（Ｓ３）を有し、前記ログヘッダ生成ステップは、前記識別子を含む前記ログヘッダを生成し、前記ログデータ生成ステップは、前記識別子を含む前記ログデータを生成し、前記表示ステップは、前記識別子が同一の前記ログヘッダと前記ログデータとを対応付けるログ対応処理ステップ（Ｓ２５）を有することを特徴とする。
【００１８】
また、本発明の請求項１０の試験方法は、請求項６乃至９の試験方法であって、前記表示ステップで表示される表示画面は、前記ログヘッダに含まれる情報を時系列に並べてログとして表示するログヘッダ情報表示エリア（６０）と、前記ログデータに含まれる通信データの内容を表示する通信データ情報表示エリア（７０）とを有し、前記表示ステップは、前記ログヘッダ情報表示エリアに表示されたログのいずれかを指定する指定ステップ（Ｓ２８）と、この指定されたログに対応するログデータに含まれる通信データの内容を前記通信データ情報表示エリアに表示する通信データ情報表示ステップ（Ｓ３０）とを有することを特徴とする。
【００１９】
また、本発明の請求項１１の試験装置は、複数のレイヤで構成された通信プロトコルに従って、試験対象の移動体通信端末（２）と送受信するメッセージに対して前記複数のレイヤ毎の処理を行うレイヤ処理部（１２）と、前記レイヤ処理部からレイヤ毎の通信データを取得し、当該通信データ、当該通信データの送信元レイヤ及び宛先レイヤを識別するためのレイヤ識別情報、当該通信データの通信が行われた時刻を示す時刻情報のそれぞれを含むログ情報を生成するログ処理部（１５）と、前記ログ情報に基づいて前記複数のレイヤの通信のログを表示する表示装置に、前記ログ情報を転送する転送部（１７）と、を備えた試験装置において、前記ログ処理部は、前記レイヤ識別情報及び前記時刻情報を含むログヘッダを生成するログヘッダ生成部（１５１）と、前記通信データを含むログデータを生成するログデータ生成部（１５２）とを有し、前記ログヘッダ及び前記ログデータを前記ログ情報として生成するようになっており、前記転送部が前記ログヘッダを前記ログデータよりも優先して転送するように制御する優先制御部（１９）をさらに備えたことを特徴とする。
【発明の効果】
【００２０】
本発明の試験システム及び試験方法並びに試験装置は、ログ情報をログヘッダとログデータとに分けて生成し、ログデータよりもログヘッダを優先して転送しているので、少なくともログヘッダに含まれる情報について、ログ表示を行うことができる。このため、ログの完全な欠落を低減して、移動体通信端末の試験における試験者の利便性を向上することができる。
【図面の簡単な説明】
【００２１】
【図１】本発明の第１の実施形態の試験システムのブロック図
【図２】本発明の実施形態のログヘッダ及びログデータのフォーマット
【図３】本発明の第１の実施形態のデータ量の時間推移を示す図
【図４】本発明の実施形態の表示画面の例
【図５】本発明の実施形態の表示画面の別な例
【図６】本発明の第１の実施形態の試験装置のフローチャート
【図７】本発明の実施形態の表示装置のフローチャート
【図８】本発明の第２の実施形態の試験システムのブロック図
【図９】本発明の第２の実施形態のデータ量の時間推移を示す図
【図１０】本発明の第２の実施形態の試験装置のフローチャート
【発明を実施するための最良の形態】
【００２２】
（第１の実施形態）
以下、本発明の第１の実施の形態を図面を参照しながら具体的に説明する。図１は、試験システム１のブロック図である。試験システム１は、所定の通信規格（例えば、ＬＴＥ、ＷｉＭＡＸなど）に対応して無線通信を行う携帯電話やデータ通信端末等の移動体通信端末２を試験対象として試験を行う。試験システム１は、移動体通信端末２と通信を行って、その通信のログ情報を生成して転送する試験装置１０、試験装置１０から転送されたログ情報により、通信のログを表示する表示装置３０を有している。試験装置１０と表示装置３０とは、例えばＧｂＥ（ギガビット・イーサネット（登録商標））で接続されている。
【００２３】
試験装置１０は、試験を行うための通信シーケンス及び試験装置各部の動作シーケンスが記載された試験シナリオに従って、疑似基地局として動作する。試験装置１０は、送受信部１１、レイヤ処理部１２、メッセージ処理部１３、シナリオ処理部１４、ログ処理部１５、ログデータバッファ１６、試験装置側転送部１７、優先制御部１９を備えている。
【００２４】
送受信部１１は、レイヤ処理部１２からの通信データを符号化、変調、周波数変換してＲＦ信号を生成し、移動体通信端末２に送信する。また、移動体通信端末２からのＲＦ信号を受信し、周波数変換、復調、復号して、レイヤ処理部１２に送る。
【００２５】
レイヤ処理部１２は、所定の通信規格に対応して各レイヤの通信プロトコル処理を行うように構成され、送受信部１１からの通信データを処理してメッセージ処理部１３に送るとともに、メッセージ処理部１３からのメッセージを処理して送受信部１１に送る。この際、各レイヤで処理を行う毎に、レイヤ間の通信の内容である通信データを出力する。レイヤ処理部１２は、各レイヤ処理に対応して、ＰＨＹ処理部１２ａ、ＭＡＣ処理部１２ｂ、ＲＬＣ処理部１２ｃ、ＰＤＣＰ処理部１２ｄ、ＲＲＣ処理部１２ｅを備えている。
【００２６】
メッセージ処理部１３は、シナリオ処理部１４からの制御により、移動体通信端末２に送信すべきメッセージを生成してレイヤ処理部１２に送るとともに、移動体通信端末２からレイヤ処理部１２を介して受けたメッセージを処理する。
【００２７】
なお、図示していないが、試験装置１０は、送受信部１１、レイヤ処理部１２、メッセージ処理部１３を複数組、備える構成であっても良い。一組の送受信部１１、レイヤ処理部１２、メッセージ処理部１３は、１台の基地局の動作を模擬する。このため、試験装置１０がこの組合せを複数備えることにより、例えば、移動体通信端末が通信先の基地局を切り替えるハンドオーバ動作の試験を、１台の試験装置１０で行うことができる。
【００２８】
シナリオ処理部１４は、不図示の記憶部に予め記憶した試験シナリオに従って、メッセージ処理部１３を含む試験装置１０の各部を制御する。
【００２９】
ログ処理部１５は、レイヤ処理部１２より出力された通信データからログヘッダを生成するログヘッダ生成部１５１、レイヤ処理部１２より出力された通信データからログデータを生成するログデータ生成部１５２、実際の時刻又は試験開始からの経過時刻である時刻情報を生成してログヘッダ生成部１５１に出力する時刻生成部１５３、それぞれのログを識別する識別子（ＩＤ）として試験開始からの追番を生成してログヘッダ生成部１５１及びログデータ生成部１５２に出力するＩＤ生成部１５４を備えている。
【００３０】
図２に、ログヘッダ生成部１５１で生成されるログヘッダのフォーマットと、ログデータ生成部１５２で生成されるログデータのフォーマットとを示す。
【００３１】
ログヘッダに含まれる情報は、ＩＤ生成部１５４で生成されるＩＤ、このデータがログヘッダであることを示すログ種別、時刻生成部１５３で生成される時刻情報、通信データの送信元及び宛先を示す送信元レイヤ及び宛先レイヤ、通信データのチャネルの種別を示すチャネル情報、試験装置１０が複数の基地局を模擬するため複数のレイヤ処理部１２を備えていた場合にそれらを識別するＢＴＳ番号、通信データの設定命令であるプリミティブを示すプリミティブ名である。ここで、時刻情報、送信元レイヤ、宛先レイヤ、チャネル情報、ＢＴＳ番号、プリミティブ名をまとめてログヘッダ情報と呼称する。
【００３２】
このうち、ログ種別は、ログヘッダ生成部１５１が予め固定値として有している情報である。また、送信元レイヤ、宛先レイヤ、チャネル情報、ＢＴＳ番号、プリミティブ名は、ログ処理部１５が通信データの送出元を識別する、又はログ処理部１５が受けた通信データを解析する、あるいはレイヤ処理部１２から通信データとともにこれらの情報を送出してもらう、のいずれかの方式により、ログヘッダ生成部１５１がこれらの情報を取得する。
【００３３】
ログデータに含まれる情報は、ＩＤ生成部１５４で生成されるＩＤ、このデータがログデータであることを示すログ種別、ログデータのデータ長を示すログデータ長、レイヤ処理部１２より出力されたレイヤ間の通信データである。このうち、ログ種別は、ログデータ生成部が予め固定値として有している情報であり、ログヘッダ生成部と異なる値となっている。また、ログデータ長は、通信データのデータ長が可変長であるためにログデータ長が可変長となるので、後の処理のために、ログデータ生成部１５２がログデータを生成する際に決定して挿入する。
【００３４】
これらのログヘッダとログデータとの組合せにより、ログ情報が構成される。なお、どのログヘッダとログデータとが対応するかを後の処理で識別できるようにするため、一つの通信データから生成されるログヘッダとログデータとには、同一のＩＤが付与されるようになっている。ここで、一般的に、通信データのデータ量に対して、ログヘッダのデータ量は非常に小さい。
【００３５】
ログデータバッファ１６は、ログデータ生成部１５２で生成されたログデータを一時記憶し、先に記憶したログデータから順に、優先制御部１９に出力する。優先制御部１９に出力されたログデータは、ログデータバッファ１６から消去される。なお、ログデータバッファ１６に空き容量が無くなるバッファフルの状態となった場合は、先に記憶したログデータから順に消去してするか、空き容量ができるまでログデータの記憶を停止するかのいずれかの動作を行う。すなわち、先に記憶したログデータから順に消去する場合は、ログデータバッファ１６の出力でログデータが破棄されることになる。また、空き容量ができるまでログデータの記憶を停止する場合は、ログデータ生成部１５２の出力でログデータが破棄されることになる。
【００３６】
試験装置側転送部１７は、転送バッファ１７１を備えており、ログヘッダ生成部１５１で生成されたログヘッダ及びログデータバッファ１６に記憶されたログデータを、優先制御部１９を介して受けて、表示装置３０に転送する。前述のように、試験装置側転送部１７の表示装置３０側のインタフェースは、例えばＧｂＥが用いられている。なお、ここでは、転送が所定時間間隔毎（例えば１ｍｓ毎）に行われるものとして説明するが、不定期に転送を行うようになっていてもよい。
【００３７】
転送バッファ１７１は、１回の転送で転送可能なデータ量に相当する記憶容量を有しており、転送対象のデータを一時記憶する。転送後、転送バッファ１７１に記憶されたデータは、転送済として消去される。
【００３８】
優先制御部１９は、ログヘッダ生成部１５１で生成されたログヘッダを転送バッファ１７１に逐次記憶していき、転送の直前に、ログデータバッファ１６に記憶されたログデータを、転送バッファ１７１の空き領域に記憶する。そして、優先制御部１９は、試験装置側転送部１７から転送完了の通知、すなわち転送バッファ１７１に記憶されたデータが消去されたことの通知を受けると、再び、ログヘッダを転送バッファ１７１に逐次記憶していく。優先制御部１９は、この一連の制御を繰り返し行う。
【００３９】
図３に、転送バッファ１７１のデータ量と、ログデータバッファ１６のデータ量との、時間推移の例を示す。試験装置１０と移動体通信端末２との通信が開始される（時刻ａ）。これにより、ログヘッダが生成されて転送バッファ１７１に逐次記憶されていくとともに、ログデータが生成されてログデータバッファ１６に記憶されていく。転送の直前になると、ログデータバッファ１６に記憶されたログデータが、転送バッファ１７１の空き容量に記憶される（時刻ｂ）。この場合は、ログデータバッファ１６に記憶されていたログデータのデータ量が、転送バッファ１７１の空き容量よりも小さいので、全てのログデータが転送バッファ１７１に記憶され、ログデータバッファ１６のデータ量はゼロになる。そして、転送バッファ１７１に記憶されたログヘッダ及びログデータは転送されて、転送バッファ１７１のデータ量はゼロになる（時刻ｃ）。なお、転送バッファ１７１へのログデータの記憶から転送バッファ１７１のデータ量がゼロになるまでの間（例えば、時刻ｂから時刻ｃまでの間）に、ログヘッダが破棄されないように構成されている。
【００４０】
試験装置１０と移動体通信端末２との通信が継続されているので、ログヘッダとログデータの記憶も継続されるが、通信量及び通信内容の変化により、ログヘッダとログデータのデータ量も変化する。次の転送の直前になると、ログデータバッファ１６に記憶されたログデータが、転送バッファ１７１の空き容量に記憶されるが、この場合は、ログデータバッファ１６に記憶されていたログデータのデータ量が、転送バッファ１７１の空き容量よりも大きいので、一部のログデータが転送バッファ１７１に記憶され、ログデータバッファ１６のデータ量はゼロにならない（時刻ｄ）。そして、転送が行われて、転送バッファ１７１のデータ量はゼロになる（時刻ｅ）。
【００４１】
ログヘッダとログデータの記憶は継続されるが、次の転送よりも前に、ログデータバッファ１６のバッファフルが発生する（時刻ｆ）。この場合、次の転送の直前に、ログデータが転送バッファ１７１の空き容量に記憶される（時刻ｇ）までは、バッファフルの状態が継続し、ログデータが試験装置１０の内部で破棄される。このようにして、ログヘッダがログデータよりも優先して転送される。
【００４２】
図１に戻って説明を続ける。表示装置３０は、例えばパーソナルコンピュータ（ＰＣ）によって構成される。表示装置３０は、表示装置側転送部３１、ログ種別選別部３２、ログヘッダ記憶部３３、ログデータ記憶部３４、表示制御部３５、表示部３６、操作部３７を備えている。
【００４３】
表示装置側転送部３１は、試験装置側転送部１７から転送されたログヘッダ及びログデータを、ログ種別選別部３２に送出する。前述のように、表示装置側転送部３１の試験装置１０側のインタフェースは、例えばＧｂＥが用いられている。
【００４４】
ログ種別選別部３２は、ログヘッダ及びログデータについて、それぞれのログ種別の値を確認して選別し、ログヘッダはログヘッダ記憶部３３に送出し、ログデータはログデータ記憶部３４に送出する。
【００４５】
ログヘッダ記憶部３３及びログデータ記憶部３４は、ＨＤＤ（ハードディスクドライブ）やフラッシュメモリ等の大容量記憶媒体で構成され、ログヘッダ記憶部３３はログデータを記憶し、ログデータ記憶部３４はログデータを記憶する。
【００４６】
表示制御部３５は、ログ対応処理部３５１を備えており、ログヘッダ記憶部３３及びログデータ記憶部３４からログヘッダ及びログデータを読み出し、ログを表示するための表示画面５０を生成し、表示部３６に表示する。ログ対応処理部３５１は、ログヘッダ記憶部３３に記憶されているログヘッダに対応するログデータが、ログデータ記憶部３４に存在するか否かを、ＩＤを照合することによって確認する。
【００４７】
図４に、表示画面５０の表示例を示す。表示画面５０は、ログヘッダに含まれるログヘッダ情報を時系列に並べて表示するログヘッダ情報表示エリア６０と、ログデータに含まれる通信データの情報を表示する通信データ情報表示エリア７０と、ログデータに含まれる通信データのメッセージ名を表示するメッセージ名表示部８０と、表示されているログに対応する通信データの有無（すなわちログデータの有無）を識別して表示する通信データ識別情報表示部９０とを有している。
【００４８】
ログヘッダ情報表示エリア６０は、ログの追番としてＩＤを表示するログ番号表示部６１、どのレイヤのログか、あるいはＵｐｌｉｎｋ／Ｄｏｗｎｌｉｎｋのいずれかのログかを矢印表示で識別するためのレイヤ表示部６２、各レイヤの設定命令を表示するプリミティブ表示部６３、レイヤ処理部１２が複数ある場合にそれらを識別するためのＢＴＳ番号を表示するＢＴＳ表示部６４、チャネル情報を表示するチャネル表示部６５、時刻情報を表示するための時刻表示部６６を有している。
【００４９】
通信データ情報表示エリア７０は、通信内容をテキストに変換して表示するテキスト表示部７１、通信内容をバイナリのままＨｅｘ値で表示するバイナリ表示部７２を有している。ここで、テキスト表示部７１、バイナリ表示部７２は、ログヘッダ情報表示エリア６０（またはメッセージ名表示部８０）に時系列に並べて表示された複数のログのうち、試験者が操作部３７を介して指定したログについて、対応するログデータがログデータ記憶部３４に存在する場合、その通信内容を表示するようになっている。図４では、Ｎｏ．００１のログが指定された状態を示しており、Ｎｏ．００１の行に色が付されて識別表示され、テキスト表示部７１、バイナリ表示部７２に通信データの内容が表示されている。
【００５０】
また、指定したログについて、対応するログデータがログデータ記憶部３４に存在しない場合、通信データ情報表示エリア７０に、空欄のままか、又は、ログデータが存在しないことを示す情報が表示される。図５では、Ｎｏ．００８のログが指定された状態を示しており、Ｎｏ．００８の行に色が付されて識別表示されている。このＮｏ．００８のログには対応するログデータが存在しないので、テキスト表示部７１には、ログデータが存在しないために通信データの内容が表示できないことを示す「Ｎｏ  Ｄａｔａ」が表示され、バイナリ表示部７２は空欄となっている。
【００５１】
メッセージ名表示部８０は、表示制御部３５が、対応するログデータに含まれる通信データを解析して、この通信データのメッセージ名を取得して表示する。図４、図５では、最上位レイヤであるＲＲＣレイヤに関連するＮｏ．００１のログのみメッセージ名を表示しているが、特定のレイヤ以外でも、対応するログデータが存在する各ログ（Ｎｏ．００２−Ｎｏ．００６のログ）について、メッセージ名を表示するようにしてもよい。なお、対応するログデータがログデータ記憶部３４に存在しない場合（Ｎｏ．００７−Ｎｏ．００８のログ）、メッセージ名の欄は空欄になる。
【００５２】
通信データ識別情報表示部９０について説明する。表示されているログに対応するログデータがログデータ記憶部３４に存在する場合、そのログは、通信データ識別情報表示部９０に”○”と表示される。表示されているログに対応するログデータがログデータ記憶部３４に存在しない場合、そのログは、通信データ識別情報表示部９０に”×”と表示される。これにより、試験者は、どのログについてログデータが存在するか（すなわち、通信データが存在するか）を確認することができる。
【００５３】
以下、試験システム１の動作について、図面を参照して説明する。図６は、試験装置１０の動作を示したフローチャートであり、図７は、表示装置３０の動作を示したフローチャートである。
【００５４】
試験の開始が指示されると、シナリオ処理部１４は、試験シナリオに従って、メッセージ処理部１３を制御し、レイヤ処理部１２及び送受信部１１を介して、移動体通信端末２との通信を行う（Ｓ１）。そして、ログ処理部１５は、この通信における各レイヤでの通信データを、レイヤ処理部１２から取得する（Ｓ２）。この通信データを取得する度に、ＩＤ生成部１５４はＩＤを生成し、ログヘッダ生成部１５１及びログデータ生成部１５２に出力する（Ｓ３）。
【００５５】
ログヘッダ生成部１５１は、ＩＤ、ログ種別、前述のログヘッダ情報により、ログヘッダを生成する（Ｓ４）。生成されたログヘッダは、優先制御部１９によって、転送バッファ１７１に逐次記憶される（Ｓ５）。これと並行して、ログデータ生成部１５２は、ＩＤ、ログ種別、ログデータ長、通信データにより、ログデータを生成する（Ｓ６）。生成されたログデータは、ログデータバッファ１６に記憶される（Ｓ７）。
【００５６】
試験装置側転送部１７は、転送バッファ１７１に記憶されたデータを、表示装置３０に転送する。この転送が行われる直前に、優先制御部１９により、転送バッファ１７１の空き領域に、ログデータバッファ１６に記憶されていたログデータが記憶される（Ｓ８）。この転送は、例えば１ｍｓの周期で、繰り返し行われる（Ｓ９）。
【００５７】
表示装置３０において、表示装置側転送部３１は、試験装置側転送部１７からログヘッダ及びログデータを含む転送データを受けて、ログ種別選別部３２に出力する（Ｓ２１）。ログ種別選別部３２は、ログヘッダ及びログデータのログ種別の値を確認することにより、ログヘッダとログデータとを選別する（Ｓ２２）。これにより、ログヘッダはログヘッダ記憶部３３に記憶され、ログデータはログデータ記憶部３４に記憶される（Ｓ２３）。
【００５８】
表示制御部３５は、ログヘッダ記憶部３３からログヘッダを読み出す。ログ対応処理部３５１は、読み出した各ログヘッダについて、同一のＩＤを有するログデータがログデータ記憶部３４に存在するか否かを確認する（Ｓ２４）。
【００５９】
表示制御部３５は、読み出した各ログヘッダのログヘッダ情報に基づいて、表示部３６の表示画面５０にログを表示する（Ｓ２５）。この表示の際、各ログヘッダ情報は、ＩＤの順（又は時刻情報の順）に並べられる。また、表示制御部３５は、ログ対応処理部３５１の確認結果に従って、通信データ識別情報表示部９０に、表示されているログに対応する通信データの有無（すなわちログデータの有無）を識別して表示する（Ｓ２６）。また、表示制御部３５は、は、表示している各ログに対応するログデータがログデータ記憶部３４に存在すれば、このログデータに含まれる通信データを解析して、この通信データのメッセージ名をメッセージ名表示部８０に表示する（Ｓ２７）。
【００６０】
ここで、試験者が操作部３７を介していずれかのログを指定すると（Ｓ２８）、対応するログデータがログデータ記憶部３４に存在する場合（Ｓ２９−Ｙｅｓ）、表示制御部３５は、対応するログデータをログデータ記憶部３４から読出し、その通信データの内容を通信データ情報表示エリア７０に表示する（Ｓ３０）。また、表示制御部３５は、対応するログデータがログデータ記憶部３４に存在しない場合（Ｓ２９−Ｎｏ）、通信データ情報表示エリア７０のテキスト表示部７１に「Ｎｏ  Ｄａｔａ」と表示する（Ｓ３１）。
【００６１】
（第２の実施形態）
続いて、本発明の第２の実施の形態を説明する。なお、第１の実施形態と同じ機能を有する機能ブロックや手順については、図面上に同一の符号を付して、適宜説明を省略する。図８は、試験システム１’のブロック図であり、試験装置１０’がログヘッダバッファ１８を備える点で、図１の試験システム１のブロック図と異なる。
【００６２】
ログヘッダバッファ１８は、ログヘッダ生成部１５１で生成されたログヘッダを一時記憶し、先に記憶したログヘッダから順に、優先制御部１９に出力する。優先制御部１９に出力されたログヘッダは、ログヘッダバッファ１８から消去される。
【００６３】
優先制御部１９は、転送の度に、ログヘッダバッファ１８に記憶されたログヘッダを全て転送バッファ１７１に記憶し、その後に、ログデータバッファ１６に記憶されたログデータを、転送バッファ１７１の空き領域に記憶するように制御する。転送後、転送バッファ１７１に記憶されたデータは、転送済として消去される。
【００６４】
図９に、転送バッファ１７１のデータ量の時間推移の例を示す。試験装置１０’と移動体通信端末２との通信が開始される（時刻ｉ）。これにより、ログヘッダが生成されてログヘッダバッファ１８に記憶されていくとともに、ログデータが生成されてログデータバッファ１６に記憶されていく。転送が行われる前に、先ず、ログヘッダバッファ１８に記憶された全てのログヘッダが、転送バッファ１７１に記憶される（時刻ｊ，ｍ，ｐ）。次に、ログデータバッファ１６に記憶されたログデータが、転送バッファ１７１の空き容量に記憶される（時刻ｋ，ｎ，ｑ）。そして、転送バッファ１７１に記憶されたログヘッダ及びログデータは転送されて、転送バッファ１７１のデータ量はゼロになる（時刻ｌ，ｏ，ｒ）。これらの動作が、転送の度に繰り返され、ログヘッダがログデータよりも優先して転送される。
【００６５】
図１０は、試験装置１０’の動作を示したフローチャートである。ここでは、図６に示した、第１の実施形態の試験装置１０の動作と相違する点について説明する。ログヘッダ生成部１５１により生成されたログヘッダは、ログヘッダバッファ１８に記憶される（Ｓ５１）。
【００６６】
転送が行われる前に、先ず、優先制御部１９により、ログヘッダバッファ１８に記憶されたログヘッダが、転送バッファ１７１に記憶される（Ｓ５２）。次に、優先制御部１９により、ログデータバッファ１６に記憶されていたログデータが、転送バッファ１７１の空き領域に記憶される（Ｓ８）。そして転送が行われる（Ｓ９）。
【００６７】
このように、本発明の試験システム及び試験方法は、ログ情報をログヘッダとログデータとに分けて生成し、ログヘッダを優先して転送するようにしている。このため、転送できなかったログ情報が完全に欠落するのに比べて、少なくともログヘッダ情報によるログ表示ができるので、試験者が通信の概要を把握することができ、試験者の利便性を向上できる。
【符号の説明】
【００６８】
１、１’…試験システム、２…移動体通信端末、１０，１０’…試験装置、１１…送受信部、１２…レイヤ処理部、１３…メッセージ処理部、１４…シナリオ処理部、１５…ログ処理部、１６…ログデータバッファ、１７…試験装置側転送部、１８…ログヘッダバッファ、１９…優先制御部、３０…表示装置、３１…表示装置側転送部、３２…ログ種別選別部、３３…ログヘッダ記憶部、３４…ログデータ記憶部、３５…表示制御部、３６…表示部、３７…操作部、１５１…ログヘッダ生成部、１５２…ログデータ生成部、１５３…時刻生成部、１５４…ＩＤ生成部、１７１…転送バッファ、３５１…ログ対応処理部
【図１】
2014060634.tif 000003
【図２】
2014060634.tif 000004
【図３】
2014060634.tif 000005
【図６】
2014060634.tif 000006
【図７】
2014060634.tif 000007
【図８】
2014060634.tif 000008
【図９】
2014060634.tif 000009
【図１０】
2014060634.tif 000010
【図４】
2014060634.tif 000011
【図５】
2014060634.tif 000012